(57)【要約】【課題】簡単な構成で精度よくコンパクトなレンズ駆動装置を提供する。【解決手段】対物レンズ１１を内包するレンズホルダ１２と、そのレンズホルダ１２の外側部１２ａに形成されたコイル巻回用のボビン１３ａ，１３ｂとを備え、そのボビン１３ａ，１３ｂにワイヤ１４を巻回してコイル１６ａ，１６ｂを形成した対物レンズ駆動装置において、別のコイル１５の両側に隣接するようにボビン１３ａ，１３ｂを備え、そのボビン１３ａ，１３ｂにコイル１６ａ，１６ｂを形成するとともに、レンズホルダ１２の外側部１２ａの中央にあらかじめ所望の形状に形成した別のコイル１５を貼着する。【選択図】図１
2005215430.tif 000002
【特許請求の範囲】
【請求項１】
対物レンズを内包するレンズホルダと、
該レンズホルダの外側部に形成されたコイル巻回用のボビンとを備え、
該ボビンにワイヤを巻回してコイルを形成した対物レンズ駆動装置において、
別のコイルに隣接するように前記ボビンを備え、該ボビンに前記コイルを形成するとともに、前記レンズホルダの外側部にあらかじめ所望の形状に形成した前記別のコイルを貼着したことを特徴とするレンズ駆動装置。
【請求項２】
前記貼着された別のコイルよりも前記ボビンに形成されたコイルの方が多いことを特徴とする請求項１に記載のレンズ駆動装置。
【請求項３】
駆動方向が異なる複数本の前記ワイヤを内側から順番に重ねて巻回して複数のコイルを１つのボビンに形成したことを特徴とする請求項１または２に記載のレンズ駆動装置。
【請求項４】
前記コイルまたは前記別のコイルは、複数本の前記ワイヤを並列にして巻回して形成したことを特徴とする請求項１または２に記載のレンズ駆動装置。
【請求項５】
前記コイルまたは前記別のコイルを前記ボビンの軸方向に位置をずらして近接して設けたことを特徴とする請求項１または２に記載のレンズ駆動装置。
【請求項６】
対物レンズを内包するレンズホルダと、
該レンズホルダの外側部に形成されたコイル巻回用の複数のボビンとを備え、
該複数のボビンにワイヤを巻回して複数のコイルを形成した対物レンズ駆動装置において、
前記複数のコイルを前記レンズホルダの外側部からの距離を違えて、前記ワイヤを巻回して形成したことを特徴とするレンズ駆動装置。
【請求項７】
前記複数のコイルのうち、中央に位置するコイルを他のコイルに比べて前記レンズホルダの外側部から遠ざかる方向に形成することを特徴とする請求項６に記載のレンズ駆動装置。
【請求項８】
対物レンズを内包するレンズホルダと、
該レンズホルダの外側部に形成されたコイル巻回用のボビンとを備えた対物レンズ駆動装置において、
前記レンズホルダの外側部に前記ボビンを設けてコイルを形成するとともに、取付窓の形成された取付板の前記取付窓の両側に複数のボビンを設けて別のコイルを形成し、前記取付板の取付窓に前記コイルを合わせながら前記レンズホルダの外側部に貼着したとき、前記コイルの両側に前記別のコイルが隣接するように設けられたことを特徴とするレンズ駆動装置。
【請求項９】
対物レンズを内包するレンズホルダと、
該レンズホルダの外側部にコイル巻回用の複数のボビンとを備え、
該複数のボビンにワイヤを巻回して複数のコイルを形成した対物レンズ駆動装置において、
前記複数のボビンが折曲部を介して連接してボビンユニットを形成し、
前記複数のコイル形成時には、前記折曲部で折り曲げて前記ワイヤを巻回し、
前記ボビンユニットを前記レンズホルダに取付時には、前記折曲部を伸張して取り付けることを特徴とするレンズ駆動装置。
【請求項１０】
前記ボビンを取り付ける前記レンズホルダの外側部の形状に合わせて前記コイルの傾きを補正するように前記ボビンが成形されていることを特徴とする請求項１ないし９のいずれかに記載のレンズ駆動装置。
【請求項１１】
請求項１ないし１０のいずれかに記載のレンズ駆動装置を備えたことを特徴とする光ピックアップ。
【請求項１２】
請求項１ないし１０のいずれかに記載のレンズ駆動装置を備えたことを特徴とする光ディスクドライブ装置。
【発明の詳細な説明】
【技術分野】
【０００１】
本発明は、対物レンズを内包するレンズホルダと、そのレンズホルダの外側部に形成されたコイル巻回用のボビンとを備え、そのボビンにワイヤを巻回してコイルを形成した対物レンズ駆動装置に関する。
【背景技術】
【０００２】
従来のレンズ駆動装置では、図１６に示すように、磁気回路により形成される同一磁界を用いて直交する２軸方向に対物レンズ３が装着されるレンズホルダーを駆動する対物レンズ駆動装置であって、そのレンズホルダー２に第１駆動コイル４を巻回する第１ボビン部を設けると共に、有効磁界が作用する第１駆動コイル４の有効辺におけるレンズホルダー２の第１駆動コイル４の巻回幅の両外側部分からその第１駆動コイル４の巻回面から垂直方向に突出する第２ボビン部を設ける。
【０００３】
そして、第１ボビン部に第１駆動コイル１１を巻回した状態でその第１駆動コイル１１の有効辺の上側から第２駆動コイル１ａ，１ｂを重ねるべく第２ボビン部に巻回することにより第１駆動コイル４及び第２駆動コイル１ａ，１ｂの互いに直交関係にある所定の部分を同一磁界内に配置するようにしたものがある（例えば特許文献１，２）。
このように、レンズホルダー２に第２駆動コイル１ａ，１ｂを形成するためのボビンを設けておけば、ワイヤを自動巻き線機で巻くことが可能で、個体バラツキを小さくすることができる。
【０００４】
一方、図１７（ａ），（ｂ）に示すように、レンズホルダ７の外側部表面７ａに位置するよう貼着固定されたフォーカシング駆動用コイル６と、トラッキング駆動用コイル５ａ，５ｂとを備えたレンズ駆動装置が開示されている（例えば特許文献３）。これらのコイルは、図１７（ａ）のように、コイルの被覆線どおしを融着させて形成した空芯のコイル５ａ，５ｂ，６を接着等によって取り付ける。しかし、作業が煩雑で貼着の際、貼着位置にばらつきを生じやすいという問題がある。
【０００５】
特に、光ディスクドライブの対物レンズでチルト（ラジアル方向、タンジェンシャル方向）制御を行おうとするとさらに多くのコイルを取り付ける必要があり、組付けバラツキの影響が大きくなり、組付け時の作業が煩雑になるという問題がある。
【０００６】
【特許文献１】特開平１０−０２７３６０号公報
【特許文献２】特開平１１−２８３２６１号公報
【特許文献３】特開２０００−０５７６００号公報
【発明の開示】
【発明が解決しようとする課題】
【０００７】
コイル接着に替わる手段として、図１８に示すように、レンズホルダにワイヤｗを巻くためのボビン８ａ，８ｂ，８ｃを設け、ワイヤｗを自動巻き線機で巻くことが考えられ、これによってそれぞれのコイルの貼着位置のバラツキを小さくすることができる。しかし、自動巻き線機でワイヤｗを巻くためには、ワイヤｗをガイドするノズル部材ｎがフォーカシング駆動用コイル６と、トラッキング駆動用コイル５ａ，５ｂとの間を通る必要があり、そのスペースを確保しなくてはならず、図１９のようにコイルどおしを接近させることができず、フォーカシング駆動用コイル６と、トラッキング駆動用コイル５ａ，５ｂとの間隔を広くせざるを得ず、レンズホルダが大型化してしまい、装置自体が大型化してしまうという問題がある。
そこでこの発明の目的は、簡単な構成で精度よくコンパクトなレンズ駆動装置を提供することにある。
【課題を解決するための手段】
【０００８】
請求項１に記載の発明は、対物レンズを内包するレンズホルダと、
該レンズホルダの外側部に形成されたコイル巻回用のボビンとを備え、
該ボビンにワイヤを巻回してコイルを形成した対物レンズ駆動装置において、
別のコイルに隣接するように前記ボビンを備え、該ボビンに前記コイルを形成するとともに、前記レンズホルダの外側部にあらかじめ所望の形状に形成した前記別のコイルを貼着したことを特徴とする。
【０００９】
請求項１の発明によれば、別のコイルに隣接するようにボビンを備え、そのボビンにコイルを形成するとともに、レンズホルダの外側部にあらかじめ所望の形状に形成した別のコイルを貼着したので、接着による取りつけ部分を減らすことができ、作業バラツキの発生しやすい部分を自動機によってコイルを形成して、安定した性能の装置を提供することが可能となる。
したがって、簡単な構成で精度よくコンパクトなレンズ駆動装置を提供することが可能となる。
【００１０】
請求項２に記載の発明は、請求項１に記載のレンズ駆動装置において、前記貼着された別のコイルよりも前記ボビンに形成されたコイルの方が多いことを特徴とする。
【００１１】
請求項２の発明によれば、貼着された別のコイルよりもボビンに形成されたコイルの方が多いので、コイルをすべて接着するかわりに、一部自動で直接レンズホルダにすべてのコイルの取り付けを接着によって行っていた場合に比べ、コイルの作業が簡単になる。
したがって、簡単な構成で精度よくコンパクトなレンズ駆動装置を提供することが可能となる。
【００１２】
請求項３に記載の発明は、請求項１または２に記載のレンズ駆動装置において、駆動方向が異なる複数本の前記ワイヤを内側から順番に重ねて巻回して複数のコイルを１つのボビンに形成したことを特徴とする。
【００１３】
請求項３の発明によれば、駆動方向が異なる複数本のワイヤを内側から順番に重ねて巻回して複数のコイルを１つのボビンに形成したので、複数方向の制御のために複数のコイルを略同じ位置に配置する場合の作業性が向上する。
【００１４】
請求項４に記載の発明は、請求項１または２に記載のレンズ駆動装置において、前記コイルまたは前記別のコイルは、複数本の前記ワイヤを並列にして巻回して形成したことを特徴とする。
【００１５】
請求項４の発明によれば、コイルまたは別のコイルは、複数本のワイヤを並列にして巻回して形成したので、それぞれのコイルが、対向する磁石との距離が変わらずに済むので、推力低下を防げる。
【００１６】
請求項５に記載の発明は、請求項１または２に記載のレンズ駆動装置において、前記コイルまたは前記別のコイルを前記ボビンの軸方向に位置をずらして近接して設けたことを特徴とする。
【００１７】
請求項５の発明によれば、コイルまたは別のコイルをボビンの軸方向に位置をずらして近接して設けたので、複数方向の制御のために複数のコイルを略同じ位置に配置する場合の作業性が向上する。
【００１８】
請求項６に記載の発明は、対物レンズを内包するレンズホルダと、該レンズホルダの外側部に形成されたコイル巻回用の複数のボビンとを備え、該複数のボビンにワイヤを巻回して複数のコイルを形成した対物レンズ駆動装置において、
前記複数のコイルを前記レンズホルダの外側部からの距離を違えて、前記ワイヤを巻回して形成したことを特徴とする。
【００１９】
請求項６の発明によれば、複数のコイルをレンズホルダの外側部からの距離を違えて、ワイヤを巻回して形成したので、コイルの軸方向にずらすことで、磁石との対向面側から見たコイル同士の間隔を詰めて、装置の小型化が可能となる。
【００２０】
請求項７に記載の発明は、請求項６に記載のレンズ駆動装置において、前記複数のコイルのうち、中央に位置するコイルを他のコイルに比べて前記レンズホルダの外側部から遠ざかる方向に形成することを特徴とする。
【００２１】
請求項７の発明によれば、複数のコイルのうち、中央に位置するコイルを他のコイルに比べてレンズホルダの外側部から遠ざかる方向に形成するので、コイルはレンズの形状に沿わせて、前後関係を決めるので、対物レンズ枠のワイヤ長手方向の寸法を短くすることが可能となる。
【００２２】
請求項８に記載の発明は、対物レンズを内包するレンズホルダと、該レンズホルダの外側部に形成されたコイル巻回用のボビンとを備えた対物レンズ駆動装置において、
前記レンズホルダの外側部に前記ボビンを設けてコイルを形成するとともに、取付窓の形成された取付板の前記取付窓の両側に複数のボビンを設けて別のコイルを形成し、前記取付板の取付窓に前記コイルを合わせながら前記レンズホルダの外側部に貼着したとき、前記コイルの両側に前記別のコイルが隣接するように設けられたことを特徴とする。
【００２３】
請求項８の発明によれば、レンズホルダの外側部にボビンを設けてコイルを形成するとともに、取付窓の形成された取付板の取付窓の両側に複数のボビンを設けて別のコイルを形成し、取付板の取付窓にコイルを合わせながらレンズホルダの外側部に貼着したとき、コイルの両側に別のコイルが隣接するように設けられたので、接着面を広くすることが出来るので、接着作業が容易になる。また、ボビンに巻いたコイルを略平面状に近接して配置することが可能となる。
【００２４】
請求項９に記載の発明は、対物レンズを内包するレンズホルダと、該レンズホルダの外側部にコイル巻回用の複数のボビンとを備え、該複数のボビンにワイヤを巻回して複数のコイルを形成した対物レンズ駆動装置において、
前記複数のボビンが折曲部を介して連接してボビンユニットを形成し、前記複数のコイル形成時には、前記折曲部で折り曲げて前記ワイヤを巻回し、前記ボビンユニットを前記レンズホルダに取付時には、前記折曲部を伸張して取り付けることを特徴とする。
【００２５】
請求項９の発明によれば、複数のボビンが折曲部を介して連接してボビンユニットを形成し、複数のコイル形成時には、折曲部で折り曲げてワイヤを巻回し、ボビンユニットをレンズホルダに取付時には、折曲部を伸張して取り付けるので、自動巻き線機で略平面状に近接してコイルを巻きつけることが可能となる。
【００２６】
請求項１０に記載の発明は、請求項１ないし９のいずれかに記載のレンズ駆動装置において、前記ボビンを取り付ける前記レンズホルダの外側部の形状に合わせて前記コイルの傾きを補正するように前記ボビンが成形されていることを特徴とする。
【００２７】
請求項１０の発明によれば、ボビンを取り付けるレンズホルダの外側部の形状に合わせてコイルの傾きを補正するようにボビンが成形されているので、抜き勾配に合わせてボビン端面の形状を形成することにより、対物レンズ枠の金型の構造が簡単になる。また、直接ワイヤに触れずに済むので、ワイヤを傷つけることがなくなる。
【００２８】
請求項１１に記載の発明は、請求項１ないし１０のいずれかに記載のレンズ駆動装置を備えたことを特徴とする光ディスクドライブ装置である。
【００２９】
請求項１１の発明によれば、品質の安定した対物レンズを搭載することで、光ディスクドライブ装置の性能を向上させる。
【００３０】
請求項１２に記載の発明は、請求項１ないし１０のいずれかに記載のレンズ駆動装置を備えたことを特徴とする光ピックアップである。
【００３１】
請求項１２の発明によれば、品質の安定した対物レンズを搭載することで、光ピックアップの性能を向上させる。
【発明の効果】
【００３２】
請求項１に記載の発明によれば、別のコイルに隣接するようにボビンを備え、そのボビンにコイルを形成するとともに、レンズホルダの外側部にあらかじめ所望の形状に形成した別のコイルを貼着したので、接着による取りつけ部分を減らすことができ、作業バラツキの発生しやすい部分を自動機によってコイルを形成して、安定した性能の装置を提供することができる。
したがって、簡単な構成で精度よくコンパクトなレンズ駆動装置を提供することができる。
【００３３】
請求項２に記載の発明によれば、貼着された別のコイルよりもボビンに形成されたコイルの方が多いので、コイルをすべて接着するかわりに、一部自動で直接レンズホルダにすべてのコイルの取り付けを接着によって行っていた場合に比べ、コイルの作業が簡単にすることができる。
したがって、簡単な構成で精度よくコンパクトなレンズ駆動装置を提供することができる。
【００３４】
請求項３に記載の発明によれば、駆動方向が異なる複数本のワイヤを内側から順番に重ねて巻回して複数のコイルを１つのボビンに形成したので、複数方向の制御のために複数のコイルを略同じ位置に配置する場合の作業性を向上させることができる。
【００３５】
請求項４に記載の発明によれば、コイルまたは別のコイルは、複数本のワイヤを並列にして巻回して形成したので、それぞれのコイルが、対向する磁石との距離が変わらずに済むので、推力低下を防止することができる。
【００３６】
請求項５に記載の発明によれば、コイルまたは別のコイルをボビンの軸方向に位置をずらして近接して設けたので、複数方向の制御のために複数のコイルを略同じ位置に配置する場合の作業性を向上させることができる。
【００３７】
請求項６に記載の発明によれば、複数のコイルをレンズホルダの外側部からの距離を違えて、ワイヤを巻回して形成したので、コイルの軸方向にずらすことで、磁石との対向面側から見たコイル同士の間隔を詰めることができるで装置を小型化することができる。
【００３８】
請求項７に記載の発明によれば、複数のコイルのうち、中央に位置するコイルを他のコイルに比べてレンズホルダの外側部から遠ざかる方向に形成するので、コイルはレンズの形状に沿わせて、前後関係を決めるので、対物レンズ枠のワイヤ長手方向の寸法を短くコンパクトにすることができる。
【００３９】
請求項８に記載の発明によれば、レンズホルダの外側部にボビンを設けてコイルを形成するとともに、取付窓の形成された取付板の取付窓の両側に複数のボビンを設けて別のコイルを形成し、取付板の取付窓にコイルを合わせながらレンズホルダの外側部に貼着したとき、コイルの両側に別のコイルが隣接するように設けられたので、接着面を広くすることが出来るので、接着作業が容易になる。また、ボビンに巻いたコイルを略平面状に近接して配置することができる。
【００４０】
請求項９に記載の発明によれば、複数のボビンが折曲部を介して連接してボビンユニットを形成し、複数のコイル形成時には、折曲部で折り曲げてワイヤを巻回し、ボビンユニットをレンズホルダに取付時には、折曲部を伸張して取り付けるので、自動巻き線機で略平面状に近接してコイルを巻きつけることができる。
【００４１】
請求項１０に記載の発明によれば、ボビンを取り付けるレンズホルダの外側部の形状に合わせてコイルの傾きを補正するようにボビンが成形されているので、抜き勾配に合わせてボビン端面の形状を形成することにより、対物レンズ枠の金型の構造を簡単にすることができる。また、レンズホルダの外側部は、レンズホルダの型構造を単純にしようとすると、光軸と平行になり難く、コイルの取りつけ精度に影響を与えるが、直接コイルのワイヤに接触してワイヤを傷つけることがなくなる。
【００４２】
請求項１１に記載の発明によれば、品質の安定した対物レンズを搭載することで、光ディスクドライブ装置の性能を向上させることができる。
【００４３】
請求項１２に記載の発明によれば、品質の安定した対物レンズを搭載することで、光ピックアップの性能を向上させることができる。
【発明を実施するための最良の形態】
【００４４】
〔第１の実施の形態〕
図１は、この発明のレンズ駆動装置の一実施形態の斜視図である。レンズ駆動装置は、対物レンズ１１を内包するレンズホルダ１２と、そのレンズホルダ１２の外側部１２ａに形成されたコイル巻回用のボビン１３ａ，１３ｂとを備え、そのボビン１３ａ，１３ｂにワイヤ１４を巻回してコイル１６ａ，１６ｂを形成する。
【００４５】
詳しくは、レンズホルダ１２の外側部１２ａの中央にあらかじめ所望の形状に形成した別のコイル１５を貼着するとともに、その別のコイル１５の両側に隣接するようにボビン１３ａ，１３ｂを備え、そのボビン１３ａ，１３ｂにコイル１６ａ，１６ｂを形成する。
【００４６】
すなわち、一つの別のコイル１５（空芯コイル）を貼着すると作業効率がよく、貼着位置のバラツキの影響が小さい。そこで、図２（ａ）（ｂ）に示すように、それぞれのボビン１３ａ，１３ｂにワイヤ１４を巻回した後で、中央に空芯コイルである別のコイル１５を接着剤などで貼着する。後で貼りつける空芯コイルの取り付け位置には、コイルの中心穴で位置決めするための突起部を設けるなどしてもよい。
【００４７】
このとき、図３（ａ），（ｂ）のように、ボビン１３ａ，１３ｂにワイヤ１４を巻くときに複数本のワイヤ１４を巻いて複数のコイル１６ａ，１６ｂを形成してもよい。
すなわち、駆動方向が異なる複数本のワイヤ１４を内側から順番に重ねて巻回して複数のコイル１６ａ，１６ｂを１つのボビンに形成してもよい。
【００４８】
すなわち、ボビン１３にコイル同士を仕切るためのフランジを設けずに、それぞれのコイル１６（ａ），１６（ｂ），１５を内側から順番に巻いていく。図では３つのコイルを形成する例を描いてあるが、２つであっても、４つ以上であってもよい。
【００４９】
内側の方が駆動に作用する部分の長さが短くなるので、同じ電流、巻き数であれば、推力の発生が小さくなるので、それぞれの巻き数や、流す電流を変えたり、必要推力に応じて、ワイヤを外側に巻くのか、内側にまくのかを決める。例えば対物レンズのフォーカシング、ラジアルチルト、タンジェンシャルチルトの駆動制御に必要なコイルをボビンにワイヤを巻いて形成する場合に、もっとも推力を必要とするフォーカシング用のコイルを一番外側に配置することなどが考えられる。
【００５０】
また、コイル１６ａ，１６ｂまたは別のコイル１５は、複数本のワイヤ１４を並列にして巻回して形成してもよい。
【００５１】
すなわち、図４（ａ），（ｂ）に示すように、ワイヤ１４を並列に同じ方向に巻き、同じ位置に複数のコイル１５，１６ａ，１６ｂを形成する。図では３本のワイヤを巻回す例を示しているが、２本であっても、４本以上であってもよい。
【００５２】
また、上述の例では、内側に巻かれたコイルは、駆動によって磁石との相対位置関係がずれたときの影響が大きかったが、駆動に作用する部分の長さはどのコイルも同じにできるので、影響を受けるコイルがなくなる。
なお、駆動方向に応じて必要推力が異なる場合は、流す電流を変えるほかに、一部のワイヤの巻きはじめを他のワイヤの巻き始めより遅らせて、巻き数を減らすことも考えられる。
【００５３】
さらに、図５に示すように、コイル１５または別のコイル１６ａ，１６ｂをボビンの軸方向に位置をずらして近接して設けてもよい。
【００５４】
詳しくは、ボビン１３ａを例に説明すると、３つのコイル１５，１６ａ，１６ｂを仕切るためのスペーサ２１を設け、それぞれのスペーサ２１の間にワイヤ１４を巻いて、それぞれ所望のコイル１５，１６ａ，１６ｂを別々に形成する。すなわち、複数のコイルを巻く箇所のコイルをボビン巻きにし、一方向の制御のみを行う位置は、コイル貼り合わせとするように、コイルボビンを中央に持ってくるか、両端に持ってくるかを決める。
なお、この例では、１つのボビン１３ａに３つのコイル１５，１６ａ，１６ｂを形成したが、この発明はこれに限定されるものではない。
【００５５】
また、この例では、３つのコイル、別のコイル１５、コイル１６ａ，１６ｂを並べた場合を例に説明しているが、二つのコイルが並んでいる場合に、一方は、ボビンに巻回するコイル、もう一方は空芯コイルを貼りつける形態であっても当てはまる。また四つ以上のコイルが並ぶ場合も同様である。
さらに、対物レンズ１１側にコイル１５，１６ａ，１６ｂを配置する駆動方法を説明したが、対物レンズ１１側に永久磁石を配置して、レンズホルダ１２近傍にコイルを配置する場合の、コイル保持にも適応可能である。
【００５６】
駆動方向は、図１の様に４本ワイヤ２０で支持し、光軸方向と光軸と垂直な方向に駆動力を発生させたときにその向きに移動させることものである。他にも、図６の様に縦、横に移動可能となるように入れ子状に保持し、その方向に駆動力を発生させれば、光軸と垂直な２方向に移動させることも出来、カメラの手振れ補正などのレンズ駆動手段としても用いることが出来る。
【００５７】
〔第２の実施の形態〕
図７は、この発明のレンズ駆動装置の別の実施の形態の斜視図である。レンズ駆動装置は、対物レンズ１１を内包するレンズホルダ１２と、そのレンズホルダ１２の外側部１２ａに形成されたコイル巻回用のボビン１３ｃとを備え、そのボビン１３ｃにワイヤ１４を巻回してコイル１５を隣接して形成する。
【００５８】
詳しくは、レンズホルダ１２の外側部１２ａの中央にボビン１３ｃを備えてコイル１５を形成するとともに、あらかじめ所望の形状に形成した別のコイル１６ａ，１６ｂを別のコイル１５の両側に隣接するように貼着して形成する。
【００５９】
このように３つのコイル１５，１６ａ，１６ｂを近接させてレンズホルダ１２の外側部１２ａに配置させる場合に、中央のコイル１５は、図８（ａ）のように、レンズホルダ１２にボビン１３ｃを設けておき、ボビン１３ｃに自動巻き線機によってワイヤ１４を巻きつけて、図８（ｂ）のように、コイル１５を形成する。両端の別のコイル１６ａ，１６ｂは、空心で巻いたものをあらかじめ用意しておいて、両側のコイルを巻き線機で巻いた後で接着して取り付ける。このようにすると、すべてのコイルをすべて接着する場合にくらべ、作業が容易になる。
【００６０】
〔第３の実施の形態〕
図９（ａ）は、この発明のレンズ駆動装置の別の実施形態の正面図、図９（ｂ）はその要部上面図である。レンズ駆動装置は、対物レンズ１１を内包するレンズホルダ１２と、そのレンズホルダ１２の外側部１２ａに形成されたコイル巻回用の３つのボビン１３ａ，１３ｂ，１３ｃとを備え、その３つのボビン１３ａ，１３ｂ，１３ｃにワイヤ１４を巻回して３つのコイル１５，１６ａ，１６ｂを形成する。
【００６１】
詳しくは、コイル１５をレンズホルダ１２の外側部１２ａからの距離Ｌ１，Ｌ２，Ｌ３を違えて、まず、図１０（ａ）のように、コイル１５をワイヤを巻回して形成し、次いで図１０（ｂ）のように、コイル１６ａ，１６ｂを形成して、図１０（ｃ）のようなレンズ駆動装置とする。このとき、レンズホルダ１２の外側部１２ａからの距離Ｌ１，Ｌ２，Ｌ３を違えるために、スペーサ２１をボビン１３ａ，１３ｂに取り付けることによって、ボビン１３ａ，１３ｂをボビン１３ｃよりも長くし、３つのコイル端面を違えて形成する。このように、奥行き方向にずらすことで巻き線機のノズル部材の通り道を確保することができるし、コイル１５，１６ａ，１６ｂをより接近させることができ、レンズ駆動装置をよりコンパクトにすることができる。
【００６２】
すなわち、図１０（ａ）のように、ボビン１３ｃに比べ、両端のボビン１３ａ，１３ｂにスペーサ２１を取り付けてボビン１３ａ，１３ｂを突出させて配置する。
図１０（ａ）〜（ｃ）に代えて、図１１（ａ），（ｂ），（ｃ）に示すように、レンズホルダ１２の外側部１２ａの中央を凸状に形成し、スペーサ２１を用いてボビン１３ｃが突出するようにボビン１３ａ〜１３ｃを設けてもよい。
【００６３】
この場合、まず、図１１（ｂ）に示すように両端のボビン１３ａ，１３ｂにワイヤ１４を巻いてコイル１６ａ，１６ｂを形成し、その後で中央のボビン１３ｃにワイヤ１４を巻いてコイル１５を形成する。この例では、レンズの側面形状に沿わせてコイル１６ａ〜１６ｃを配置することができるので、両端のコイル１６ａ，１６ｂを突出させて配置する場合に比べレンズホルダ１２の形状を小さくすることができる。また、レンズホルダが小さくなることで、軽量化できる。さらに、突出する部分が少なくなるので、光ディスクの対物レンズ１１として光速で駆動させる場合には、弾性変形しにくくなり、高次共振のゲインマージンが向上する。
【００６４】
なお、図１０、１１ともに、コイルを連続して隣接して配置することができ、装置を小型化することができる。
【００６５】
〔第４の実施の形態〕
図１２（ａ）（ｂ）は、この発明のレンズ駆動装置のさらに別の実施の形態の斜視図で、図１２（ａ）は板状部材を取り付ける前、図１２（ｂ）は板状部材を取り付けた後を示す。レンズ駆動装置は、対物レンズ１１を内包するレンズホルダ１２と、そのレンズホルダ１２の外側部１２ａに形成されたコイル巻回用のボビン１３ｃとを備える。
【００６６】
詳しくは、レンズホルダ１２の外側部１２ａにボビン１３ｃを設けてコイル１５を形成するとともに、取付窓２３の形成された取付板２４の取付窓２３の両側に２つのボビン１３ａ，１３ｂを設けてコイル１６ａ，１６ｂを形成し、取付板２４を取付窓２３にコイル１５を合わせながらレンズホルダの外側部に貼着したとき、コイル１５の両側にコイル１６ａ，１６ｂが隣接するように設けられる。
【００６７】
すなわち、ボビン１３ｃを中央に設けてコイル１５を形成したレンズホルダ１２とは別に、中央に取付窓２３の形成された取付板２４を用意する。なお、この取付窓２３は取付板２４をレンズホルダ１２の外側部１２ａに貼着して取り付けたとき、コイル１５が貫通するように形成される。さらに、取付窓２３の両側に隣接して、ボビン１３ａ，１３ｂを設けてコイル１６ａ，１６ｂを形成する。
【００６８】
そして、取付板２４の取付窓２３をコイル１５を貫通して取り付け、取付板２４の裏面とレンズホルダ１２の外側部１２ａとを接着剤などで貼着して固定する。このとき、別のコイル１５と、取付板２４に形成されたコイル１６ａ，１６ｂとは隣接するようになっている。
【００６９】
なお、レンズホルダ１２には、ワイヤ１４を巻き３つ並んだコイル１５，１６ａ，１６ｂの中で、中央部に配置されるコイル１５のボビン１３を設けて、そこにワイヤ１４を巻きつけることにより、コイル１５を形成する。一方、両端にあるコイル１６ａ，１６ｂを配置する手段として取付板２４にボビン１３を形成し、ボビン１３とボビン１３の間にはレンズホルダ１２のボビン１３を避けるための取付窓２３を開けておく。
【００７０】
レンズホルダ１２とは離れた状態でそれぞれのボビン１３にワイヤ１４を巻き、コイル１６ａ，１６ｂを形成しておく。図１２（ｂ）のように、取付板２４の取付窓２３でレンズホルダ１２側のボビン１３を避けながら２つのコイル１６ａ，１６ｂをレンズホルダ１２に取り付ける。なお、取付板２４は、ワイヤ１４の端部を保持するための中継基板を兼ねるものであってもよい。
【００７１】
〔第５の実施の形態〕
図１３（ａ）（ｂ）は、この発明のレンズ駆動装置の別の実施の形態の断面図で、図１３（ａ）はボビンにワイヤを巻回している様子を示した図、図１３（ｂ）はコイルが形成されてボビンユニットが形成された様子を示した図である。
対物レンズ１１を内包するレンズホルダ１２と、そのレンズホルダ１２の外側部１２ａにコイル巻回用の３つのボビン１３ａ，１３ｂ，１３ｃとを備え、その３つのボビン１３ａ〜１３ｃにワイヤ１４を巻回してコイル１５，１６ａ，１６ｂを隣接して形成する。
【００７２】
詳しくは、３つのボビン１３ａ〜１３ｃが折曲部２６を介して連接してボビンユニット２７を形成し、コイル１５，１６ａ，１６ｂ形成時には、図１３（ａ）に示すように、折曲部２６で折り曲げてワイヤ１４を巻回し、ボビンユニット２７をレンズホルダ１２に取付時には、図１３（ｂ）に示すように、折曲部２６を伸張して取付面２７ａをレンズホルダ１２の外側部１２ａに接着剤などで貼着して取り付ける。
【００７３】
すなわち、図１３（ａ）に示すように、折曲部２６で折り曲げた状態で、それぞれのボビン１３ａ〜１３ｃに、巻き線機でワイヤ１４を巻いていく。折曲部２６で、折り曲げることにより、ボビン１３ａ〜１３ｃやコイル１５，１６ａ，１６ｂが、巻きつけるワイヤ１４をガイドするためのノズル部材２５の経路から外れるので、ノズル部材２５が別のコイルやボビンに当たることがないので、それぞれのボビンに巻き線機でワイヤ１４を巻きつけることができる。
【００７４】
ワイヤ１４を巻きてコイルを形成し終えた後は、図１３（ｂ）に示すように、折曲部２６を伸ばして、３つのコイル、コイル１５，１６ａ，１６ｂが近接して平面状に並んだ状態となる。巻き線機にセットするための位置決めと、レンズホルダを取り付けるたねの位置決め手段としてボスとボス孔が考えられる。レンズボビンのフランジ部にボス孔を設ける場合など、巻き線機のボスにもレンズケースのボスにも共通して嵌るようにして置けば位置決め手段を共用することができる。
【００７５】
なお、レンズ駆動装置のボビンが、フランジ部を取りつけ面であるレンズホルダ外側部の形状に合わせてコイルの傾きを補正する形状に成形されて取り付けられていてもよい。
すなわち、レンズホルダ１２の型を光軸方向に二方割りに成形すると、図１４（ａ）中の矢印で示した外側部１２ａは、型抜き方向と略平行となるために、抜き勾配や、パーティングラインなどのためにコイルを取り付ける面である外側部１２ａの精度を確保しずらい。
【００７６】
そこで、図１４（ｂ），１４（ｃ）のようにレンズホルダ１２の外側部１２ａに大きな抜き勾配を設ける。もともと大きな抜き勾配を付けてあるので、型抜きも容易であり、抜き勾配面の精度は保ちやすくなる。図１５（ａ），（ｂ）のように、抜き勾配に合わせてボビン１３の取付け側のフランジ３０の形状を作れば、コイルを取りつけたときの端面３１の傾きを小さくすることができる。
なお、この方法はコイルの取りつけ面にボビン１３を設けた場合のボビンとボビンの間にコイルを取り付ける場合にも適応することができる。
また、上述のコイル１５、１６ａ１６ｂは、フォーカスコイル、ラジアル（チルト）コイル、タンジェンシャル（チルト）コイルのいずれかに適用すると好適である。このとき、ラジアル（チルト）コイル、タンジェンシャル（チルト）コイルは必ずしも両方必要でははく、フォーカスコイルとラジアル（チルト）コイルまたは、フォーカスコイルとタンジェンシャル（チルト）コイルの組み合わせであってもよい。
【００７７】
さらに、このレンズ駆動装置は、光ディスクドライブ装置や光ピックアップに適用することができる。
【図面の簡単な説明】
【００７８】
【図１】この発明のレンズ駆動装置の一例としての第１の実施の形態を示す斜視図である。
【図２】（ａ），（ｂ）は、図１のレンズ駆動装置にコイルを形成する状況を示した図である。
【図３】この発明のレンズ駆動装置の一例としての第５の実施の形態を示す、（ａ）は平面図、（ｂ）は断面図である。
【図４】この発明のレンズ駆動装置の一例としての第４の実施の形態を示す、（ａ）は平面図、（ｂ）は断面図である。
【図５】この発明のレンズ駆動装置の別の例を示す要部拡大側面図である。
【図６】この発明のレンズ駆動装置のさらに別の例を示す平面図である。
【図７】この発明のレンズ駆動装置の一例としての第２の実施の形態を示す斜視図である。
【図８】（ａ），（ｂ）は、図５のレンズ駆動装置にコイルを形成する状況を示した図である。
【図９】この発明のレンズ駆動装置の一例としての第３の実施の形態を示す、（ａ）は正面図、（ｂ）は要部平面図である。
【図１０】（ａ）〜（ｃ）は、図７のレンズ駆動装置にコイルを形成する様子を示した図である。
【図１１】（ａ）〜（ｃ）は、図７のレンズ駆動装置の変形例にコイルを形成する様子を示した図である。
【図１２】この発明のレンズ駆動装置の一例としての第６の実施の形態を示す斜視図であり、（ａ）は取付板を取り付ける前、（ｂ）は取付板を取り付けた後の様子を示した図である。
【図１３】この発明のレンズ駆動装置の一例としての第７の実施の形態を示す断面図であり、（ａ）はコイルを取り付けている状態、（ｂ）はコイルを取り付けた後、レンズホルダに貼着した状態を示した図である。
【図１４】（ａ）〜（ｃ）は、この発明のレンズ駆動装置の成形方法を説明するための図である。
【図１５】（ａ），（ｂ）は、それぞれ図１４（ｂ），（ｃ）のレンズホルダの外側部の形状に合わせて形成してフランジを示した図である。
【図１６】従来のレンズ駆動装置を示した側面図である。
【図１７】従来のレンズ駆動装置を示した斜視図であり、（ａ）はコイルを貼着する様子を示した図であり、（ｂ）はコイルを貼着した図である。
【図１８】図１８のレンズ駆動装置にコイルを形成する様子を説明するための図である。
【図１９】従来のレンズ駆動装置を示した別の側面図である。
【符号の説明】
【００７９】
１１    対物レンズ
１２    レンズホルダ
１２ａ    外側部
１３ａ，１３ｂ，１３ｃ    ボビン
１４，２０    ワイヤ
１５，１６ａ，１６ｂ    コイル
２１    スペーサ
２３    取付窓
２４    取付板
２５    ノズル部材
２６    折曲部
２７    ボビンユニット
３０    フランジ
３１    端面
【図１】
2005215430.tif 000003
【図２】
2005215430.tif 000004
【図３】
2005215430.tif 000005
【図４】
2005215430.tif 000006
【図５】
2005215430.tif 000007
【図６】
2005215430.tif 000008
【図７】
2005215430.tif 000009
【図８】
2005215430.tif 000010
【図９】
2005215430.tif 000011
【図１０】
2005215430.tif 000012
【図１１】
2005215430.tif 000013
【図１２】
2005215430.tif 000014
【図１３】
2005215430.tif 000015
【図１４】
2005215430.tif 000016
【図１５】
2005215430.tif 000017
【図１６】
2005215430.tif 000018
【図１７】
2005215430.tif 000019
【図１８】
2005215430.tif 000020
【図１９】
2005215430.tif 000021